(57)【特許請求の範囲】
【請求項１】
着色層を有しない透明な光ファイバ心線と、
長手方向に垂直な断面において、前記光ファイバ心線の両側方に設けられるテンションメンバと、
前記テンションメンバおよび前記光ファイバ心線を覆うように設けられる第１の外被と、
を具備し、
前記光ファイバ心線は、単心で、透明部材で被覆されていることを特徴とする光ファイバケーブル。
【請求項２】
前記透明部材は、ＪＩＳ  Ｋ７３６１−１で規定される全光線透過率が６０％以上であることを特徴とする請求項１記載の光ファイバケーブル。
【請求項３】
前記第１の外被によって、インドアケーブルが構成され、
前記インドアケーブルと、前記インドアケーブルの側方に配置される支持線とを覆うように設けられる第２の外被によって、前記インドアケーブルを内蔵したドロップケーブルが構成されることを特徴とする請求項１または請求項２に記載の光ファイバケーブル。
【請求項４】
前記第１の外被のサイズが、１．６ｍｍ×２．０ｍｍであって、前記透明部材の外径は０．９ｍｍであり、前記テンションメンバは、直径が０．２５ｍｍ〜０．３ｍｍの鋼線またはポリ−パラフェニレンベンゾビスオキサゾール繊維強化プラスチック製であることを特徴とする請求項１または請求項２に記載の光ファイバケーブル。
【請求項５】
前記テンションメンバの長手方向に垂直な断面形状は略長方形であり、前記テンションメンバが、前記テンションメンバの長辺側で前記光ファイバ心線を挟みこむように配置されることを特徴とする請求項１または請求項２に記載の光ファイバケーブル。
【請求項６】
前記透明部材の長手方向に垂直な断面における少なくとも一部に、平坦部が形成されることを特徴とする請求項１から請求項５のいずれかに記載の光ファイバケーブル。
【請求項７】
前記透明部材を除去した前記光ファイバ心線の外径は０．２５ｍｍであることを特徴とする請求項１から請求項６のいずれかに記載の光ファイバケーブル。
【請求項８】
インドアケーブルと、着色層を有しない透明な光ファイバ心線と、を用い、
前記インドアケーブルは、前記光ファイバ心線を内蔵し、長手方向に垂直な断面において、前記光ファイバ心線の両側方に設けられるテンションメンバと、前記テンションメンバおよび前記光ファイバ心線を覆うように設けられる第１の外被と、を具備し、
前記光ファイバ心線は、単心で、透明部材で被覆されており、
建屋の屋外から屋内に貫通する部位にインドアケーブルを配設し、
前記建屋の屋内において、前記インドアケーブルの第１の外被および前記テンションメンバを除去し、前記光ファイバ心線を取り出し、
前記光ファイバ心線を光回線終端装置に接続することを特徴とする光ファイバケーブル敷設方法。
【請求項９】
前記インドアケーブルを内蔵し、長手方向に垂直な断面において、前記インドアケーブルと、前記インドアケーブルの側方に配置される支持線とを覆うように設けられる第２の外被を具備するドロップケーブルを用い、
前記建屋の屋外において、前記ドロップケーブルの前記第２の外被および前記支持線を除去し、前記インドアケーブルを取り出して、
取り出された前記インドアケーブルを配設することを特徴とする請求項８記載の光ファイバケーブル敷設方法。
【発明の詳細な説明】
【技術分野】
【０００１】
本発明は、屋内敷設時に目立ちにくい光ファイバケーブル等に関するものである。
【背景技術】
【０００２】
通常、光ファイバケーブルを屋内に引き込む際には、インドアケーブルが使用される。インドアケーブルを室内の光回線終端装置に接続し、ＬＡＮケーブル等によって各光利用機器に接続される。
【０００３】
このような光ファイバケーブルとしては、例えば、テンションメンバと、テンションメンバ間に設けられた光ファイバ心線と、これらを一括して包む外被とを有し、外被の外周に長手方向に沿って１箇所以上のケーブルシースノッチが設けられた光ファイバケーブルがある（特許文献１）。
【先行技術文献】
【特許文献】
【０００４】
【特許文献１】特開２００８−６５０３８号公報
【発明の概要】
【発明が解決しようとする課題】
【０００５】
しかし、インドアケーブルを室内に敷設すると、インドアケーブルが目立ち、室内の美観を損ねる恐れがある。また、光コードなどを用いて室内に敷設する場合には、この光コードとインドアケーブルとを接続する必要がある。
【０００６】
本発明は、このような問題に鑑みてなされたもので、室内の美観を損なわず、かつ、敷設作業性にも優れる光ファイバケーブル等を提供することを目的とする。
【課題を解決するための手段】
【０００７】
前述した目的を達するために第１の発明は、着色層を有しない透明な光ファイバ心線と、長手方向に垂直な断面において、前記光ファイバ心線の両側方に設けられるテンションメンバと、前記テンションメンバおよび前記光ファイバ心線を覆うように設けられる第１の外被と、を具備し、前記光ファイバ心線は、単心で、透明部材で被覆されていることを特徴とする光ファイバケーブルである。
【０００８】
前記透明部材は、ＪＩＳ  Ｋ７３６１−１で規定される全光線透過率が６０％以上であることが望ましい。
【０００９】
前記第１の外被によって、インドアケーブルが構成され、前記インドアケーブルと、前記インドアケーブルの側方に配置される支持線とを覆うように設けられる第２の外被によって、前記インドアケーブルを内蔵したドロップケーブルが構成されてもよい。
【００１０】
前記第１の外被のサイズが、１．６ｍｍ×２．０ｍｍであって、前記透明部材の外径は０．９ｍｍであり、前記テンションメンバは、直径が０．２５ｍｍ〜０．３ｍｍの鋼線またはポリ−パラフェニレンベンゾビスオキサゾール繊維強化プラスチック製であってもよい。
【００１１】
前記テンションメンバの断面形状は略長方形であり、前記テンションメンバが、前記テンションメンバの長辺側で前記光ファイバ心線を挟みこむように配置されてもよい。
【００１２】
前記透明部材の長手方向に垂直な断面における少なくとも一部に、平坦部が形成されてもよい。
【００１３】
前記透明部材を除去した前記光ファイバ心線の外径は０．２５ｍｍであってもよい。
【００１４】
第１の発明によれば、光ファイバ心線が透明部材で被覆されているため、室内に配線した際に、美観を損ねにくい。例えば、光ファイバ心線は、光ファイバ心線同士の識別や、視認性を高めるために、着色心線が用いられるが、本発明では、あえて、着色をなくして、透明部材で光ファイバ心線を被覆したものである。したがって、光ファイバ心線が、透明部材と透明なガラス素線および樹脂被覆で構成されるため、光ファイバ心線が目立つことがない。
【００１５】
特に、全光線透過率が６０％以上であれば、その効果が大きい。
【００１６】
また、透明部材で被覆された光ファイバ心線のみを取り出し室内に配線することで、光ファイバ心線と、外被を含むインドアケーブル等との接続を省略することができる。
【００１７】
また、さらに、光ファイバ心線を含むインドアケーブルを内蔵するドロップケーブルを構成することで、ドロップケーブルとインドアケーブルの接続部も省略することができる。
【００１８】
ここで、前述した様に、従来は、視認性を高めるために光ファイバ心線の最外周には着色がなされていたが、本発明では、全体が透明であるため、作業時の視認性が劣る恐れがある。そこで、光ファイバ心線径を太くすること視認性をたかめ、作業性を向上することができる。また光ファイバ心線径を太くすることによって機械特性も向上するため、光ファイバ心線を配線する作業において好適である。例えば、外径を０．９ｍｍとすることで、作業性および機械特性が向上し、従来使用されていた光接続部材等を利用することもできる。
【００１９】
一方、外被のサイズが、１．６ｍｍ×２．０ｍｍの場合、透明部材で被覆した光ファイバ心線の外径が従来よりも大きくなるため、テンションメンバの配置が困難となる。そこで、本発明では、テンションメンバの外径を小さくし、かつ、従来と同様の許容張力を得るために、テンションメンバを、直径が０．２５ｍｍ〜０．３ｍｍの鋼線またはポリ−パラフェニレンベンゾビスオキサゾール繊維強化プラスチック製とすることもできる。このようにすることで、従来と同等の外被のサイズおよび許容張力を確保しつつ、透明部材を有する光ファイバ心線を適用することが可能となる。
【００２０】
また、テンションメンバの長手方向に垂直な断面形状を略長方形として、テンションメンバの長辺側で光ファイバ心線を挟みこむように配置することにより、テンションメンバの断面積を大きくすることができるため、前述と同様の効果を得る他、ケーブルの曲げ剛性が増加し、管路内への押し込み通線が容易となる。
【００２１】
透明部材の長手方向に垂直な断面における少なくとも一部に、平坦部が形成されれば、壁等に接着する作業が容易となる。
【００２２】
また、透明部材を除去した後の光ファイバ心線径が０．２５ｍｍであれば、従来の光コネクタ等を利用することも可能である。
【００２３】
第２の発明は、インドアケーブルと、着色層を有しない透明な光ファイバ心線と、を用い、前記インドアケーブルは、前記光ファイバ心線を内蔵し、長手方向に垂直な断面において、前記光ファイバ心線の両側方に設けられるテンションメンバと、前記テンションメンバおよび前記光ファイバ心線を覆うように設けられる第１の外被と、を具備し、前記光ファイバ心線は、単心で、透明部材で被覆されており、建屋の屋外から屋内に貫通する部位にインドアケーブルを配設し、前記建屋の屋内において、前記インドアケーブルの第１の外被および前記テンションメンバを除去し、前記光ファイバ心線を取り出し、前記光ファイバ心線を光回線終端装置に接続することを特徴とする光ファイバケーブル敷設方法である。
【００２４】
前記インドアケーブルを内蔵し、長手方向に垂直な断面において、前記インドアケーブルと、前記インドアケーブルの側方に配置される支持線とを覆うように設けられる第２の外被を具備するドロップケーブルを用い、前記建屋の屋外において、前記ドロップケーブルの前記第２の外被および前記支持線を除去し、前記インドアケーブルを取り出して、取り出された前記インドアケーブルを配設してもよい。
【００２５】
第２の発明によれば、室内の光ファイバ心線が透明であるため、室内の美観を損ねることがない。また、光ファイバ心線とインドアケーブルの接続部を削減することができる。さらに、ドロップケーブルがインドアケーブルを内蔵すれば、インドアケーブルとドロップケーブルとの接続部も削減することができる。
【発明の効果】
【００２６】
本発明によれば、室内の美観を損なわず、かつ、敷設作業性にも優れる光ファイバケーブル等を提供することができる。
【図面の簡単な説明】
【００２７】
【図１】光ファイバケーブル１の断面図。
【図２】光ファイバケーブル敷設方法２０を示す概念図。
【図３】光ファイバケーブル１ａの断面図。
【図４】光ファイバケーブル１ｂの断面図。
【図５】光ファイバケーブル１ｃの断面図。
【図６】（ａ）は光ファイバケーブル１ｄの断面図、（ｂ）は光ファイバケーブル１ｅの断面図。
【発明を実施するための形態】
【００２８】
以下、図面を参照しながら、本発明の実施形態について説明する。図１は、光ファイバケーブル１の断面図である。光ファイバケーブル１は、光ファイバ心線３、テンションメンバ７、外被１１等により構成される。
【００２９】
光ファイバ心線３およびテンションメンバ７は、外被１１によって一体化される。外被１１は、例えば難燃性や低摩擦性、耐候性を付与したポリオレフィン材料を適用することができる。
【００３０】
光ファイバ心線３の、外被１１の上下面（テンションメンバ７の併設方向とは垂直な方向の外周面）には、互いに対向する位置にノッチ９が形成される。上下のノッチ９から、ケーブル分割工具やニッパなどによって外被１１を破断させると、内部の光ファイバ心線３（透明部材５）を、テンションメンバ７および外被１１から分離して取り出すことができる。すなわち、透明部材５と外被１１とは密着していない。
【００３１】
光ファイバ心線３は、ガラス素線および樹脂被覆部からなり、さらにその外周部は、透明部材５で被覆される。透明部材５を除く光ファイバ心線３としては、例えば０．２５ｍｍ径の従来の光ファイバ心線を適用することができる。このようにすることで、光ファイバ心線３を取り出した後、必要に応じて透明部材５のみを除去すれば、従来の光ファイバ心線として取り扱うことができる。
【００３２】
透明部材５は、例えば、ＰＶＣ、スチレンエラストマー、フッ素ゴム、シリコーンゴム、ポリカーボネート、ナイロン、ウレタン、ポリエステルエラストマー、低分子ポリエチレン等の熱可塑性樹脂やウレタンアクリレートなどの紫外線硬化樹脂を適用可能である。透明部材５は、ＪＩＳ  Ｋ７３６１−１で規定される全光線透過率が６０％以上であることが望ましい。全光線透過率が６０％未満であると、光ファイバ心線３（透明部材５）の色味が強くなり、目立つためである。なお、さらに望ましくは、透明部材５の全光線透過率を８０％以上とする。
【００３３】
光ファイバ心線３（透明部材５）の外径は、例えば、０．５ｍｍまたは０．９ｍｍとすることが望ましい。外径が０．５ｍｍまたは０．９ｍｍであれば、従来の光ファイバに利用されるコネクタ等を利用することもできる。なお、光ファイバ心線３は全て透明材料で構成されるため、従来使用されている光ファイバ心線（外周に着色層がある）と比較して、視認性が悪いため、作業性が悪くなる。また光ファイバ心線３の外径は０．２５ｍｍであるため、機械強度が弱く、慎重に配線する必要がある。したがって、本発明では、より外径の大きな０．９ｍｍとすることが望ましい。また、必要に応じて、０．９ｍｍ以上の外径とすることもできる。
【００３４】
光ファイバ心線３の両側方には、光ファイバ心線３に対して離間して、一対のテンションメンバ７が設けられる。テンションメンバ７は、従来から使用されている亜鉛メッキ鋼線、ＰＥＮやＰＥＴなどのモノフィラメント、アラミド繊維、ガラス繊維、ＰＢＯ（ポリ−パラフェニレンベンゾビスオキサゾール）繊維等による繊維補強プラスチックなどを用いることができる。
【００３５】
ここで、図１に示すように、光ファイバケーブル１は、一般的に使用されるインドアケーブルと同様のサイズおよび形状とすることが望ましい。すなわち、外被１１のサイズは、２．０ｍｍ×３．１ｍｍや１．６ｍｍ×２．０ｍｍとすることが望ましい。このようにすることで、従来から使用されるコネクタや把持部材をそのまま使用することができる。
【００３６】
光ファイバケーブル１のサイズが、１．６ｍｍ×２．０ｍｍの場合には、透明部材５の外径を０．９ｍｍとすると、０．５ｍｍ径のテンションメンバ７を配置することが困難となる。この場合には、テンションメンバ７の外径は０．２５ｍｍ〜０．３ｍｍ程度とすることが望ましい。この際のテンションメンバ７の材質としては、鋼線またはＰＢＯ繊維強化プラスチック製とすることで、従来と同様の許容張力を確保することができる。
【００３７】
このように、本発明では、光ファイバ心線３（透明部材５）を大きくして作業性を確保するために、テンションメンバ７の外径を、光ファイバ心線３（透明部材５）よりも小さくすることが望ましい。
【００３８】
次に、光ファイバケーブル１を用いた光ファイバケーブル敷設方法について説明する。図２は、光ファイバケーブル敷設方法２０を示す概念図である。屋外において、建屋の光キャビネット１９まではドロップケーブルが用いられ（図中Ａ）、光キャビネット１９において、ドロップケーブルとインドアケーブルが接続される。インドアケーブルは、建屋の屋外から屋内の光コンセント１３まで敷設される（図中Ｂ）。光コンセント１３から光回線終端装置１５まで（図中Ｃ）は、透明部材５を有する光ファイバ心線３が敷設される。なお、光回線終端装置１５から先は、ＬＡＮケーブル等によってパソコンなどの光利用機器１７に接続される。
【００３９】
本実施形態においては、光キャビネット１９から光回線終端装置１５までの間（図中Ｂ、Ｃ）に光ファイバケーブル１を適用することができる。この場合、まず、光ファイバケーブル１（インドアケーブル）をドロップケーブルと接続し、壁内に敷設する。光コンセント１３においては、光ファイバケーブル１の外被１１およびテンションメンバ７を除去して、透明部材５を露出させて、透明部材５を有する光ファイバ心線３を取り出す。さらに、光ファイバ心線３を光回線終端装置１５まで配線して接続する。以上により、敷設作業が完了する。
【００４０】
本発明では、従来のように、インドアケーブルを直接光回線終端装置１５まで敷設しないため、インドアケーブルが室内に配線されることがない。このため、室内の美観を損ねることが無い。また、光ファイバ心線３は、透明部材５で被覆されているため、室内でも目立つことがない。
【００４１】
このように、本実施形態によれば、室内にはインドアケーブル等が露出せず、光ファイバ心線３も透明部材５で覆われるため、室内の美観を損ねることがない。また、光コンセント１３において、インドアケーブル同士等の接続や、インドアケーブルと光ファイバ心線との接続部を設ける必要がないため、敷設作業性にも優れる。
【００４２】
なお、従来、光ファイバ心線３のみが室内に露出するように光ファイバケーブルが敷設されることは考慮されておらず、インドアケーブルやＬＡＮケーブルなどが用いられていた。これに対し、本発明では、室内の光回線終端装置１５までの間を、光ファイバ心線３のみで構成した点が従来に無い新規な発想である。
また、仮に光ファイバ心線３のみで室内の配線を行ったとしても、従来の着色心線では美観を損ね、慎重に配線する必要があったところ、透明部材５を用いたため、目立つことがなく、機械的強度が向上する。また、透明部材５によって、光ファイバ心線３の外径を大きくしたため、視認性や取り扱い性にも優れる。
【００４３】
また、このような光ファイバ心線３をインドアケーブルに内蔵したため、インドアケーブルと光ファイバ心線３との接続部が不要となる。このため、敷設時の接続作業を省略することもできる。また、光コンセント１３は、単にインドアケーブルおよび心線を把持できればよいため、従来のコネクタ等を収容するものと比較して小型化することができる。このため、室内の美観をさらに向上させることができる。
【００４４】
なお、壁内へ光ファイバ心線３を敷設することは困難であるため、図中Ｂ、Ｃの全てを光ファイバ心線３のみで構成することはできない。したがって、壁内については、インドアケーブル（またはドロップケーブル）を用いる必要がある。このため、従来は、インドアケーブルがそのまま室内でも敷設されていた。本発明は、透明部材５で被覆した光ファイバ心線３をインドアケーブルに内蔵することで、敷設作業性および美観保持性を両立させることができる。
【００４５】
次に、第２の実施の形態について説明する。図３は、光ファイバケーブル１ａを示す図である。なお、以下の説明において、光ファイバケーブル１等と同一の機能を奏する構成については、図１等と同一の符号を付し、重複する説明を省略する。
【００４６】
光ファイバケーブル１ａは、光ファイバケーブル１とほぼ同様の構成であるが、支持線２１を有する点で異なる。光ファイバ心線３が設けられるケーブル部には、支持線部が連結される。支持線部には、支持線２１が設けられる。支持線２１は、光ファイバケーブル１ａを敷設する際に、光ファイバケーブル１ａを支持するためのものである。支持線２１は、例えば亜鉛メッキ鋼線を使用することができる。すなわち、光ファイバケーブル１ａは、ドロップケーブルとして用いられる。
【００４７】
次に、光ファイバケーブル１ａを用いた光ファイバケーブル敷設方法について説明する。図２において、屋外から光コンセント１３まで（図中Ａ，Ｂ）をドロップケーブルとして光ファイバケーブル１ａを敷設し、光コンセント１３から光回線終端装置１５までは透明部材５で被覆された光ファイバ心線３のみを敷設する。この場合には、光キャビネット１９において、ドロップケーブルとインドアケーブルを接続する必要がない。
【００４８】
このように、第２の実施形態によっても、第１の実施形態と同様の効果を得ることができる。すなわち、本発明の光ファイバケーブルは、インドアケーブルにもドロップケーブルにも適用可能である。
【００４９】
次に、第３の実施の形態について説明する。図４は、光ファイバケーブル１ｂを示す図である。光ファイバケーブル１ｂは、光ファイバケーブル１ａとほぼ同様の構成であるが、内部にインドアケーブルを内蔵する点で異なる。
【００５０】
前述した光ファイバケーブル１（インドアケーブル）の側方には、支持線２１が配置される。この状態で、光ファイバケーブル１の外被１１（第１の外被）および支持線２１を覆うように、外被１１ａ（第２の外被）が被覆される。すなわち、外被１１ａによってドロップケーブルが構成される。
【００５１】
外被１１ａの外周には、互いに対向する位置にノッチ９ａが設けられる。上下のノッチ９ａから、ケーブル分割工具などによって外被１１ａを破断させると、内部の光ファイバケーブル１を、支持線２１および外被１１ａから分離して取り出すことができる。すなわち、外被１１と外被１１ａとは非接着または弱い密着力で接触する。
【００５２】
次に、光ファイバケーブル１ｂを用いた光ファイバケーブル敷設方法について説明する。図２において、屋外から光コンセント１３まで（図中Ａ）をドロップケーブルとして光ファイバケーブル１ｂを敷設する。光キャビネット１９から光コンセント１３までの間（図中Ｂ）は、光ファイバケーブル１ｂから、光ファイバケーブル１のみを取り出して敷設する。さらに、光コンセント１３から光回線終端装置１５までは透明部材５で被覆された光ファイバ心線３のみを敷設する。この場合には、光キャビネット１９において、ドロップケーブルとインドアケーブルを接続する必要がない。また、壁内にはインドアケーブルを敷設すればよいため、作業性もよい。
【００５３】
このように、第３の実施形態によっても、第１の実施形態と同様の効果を得ることができる。また、屋外のドロップケーブルから室内の光回線終端装置１５までの間に、コネクタなどによる光接続部が不要となる。
【００５４】
次に、第４の実施の形態について説明する。図５は、光ファイバケーブル１ｃを示す図である。光ファイバケーブル１ｃは、光ファイバケーブル１とほぼ同様の構成であるが、テンションメンバ７の形状が異なる。
【００５５】
光ファイバケーブル１ｃでは、テンションメンバ７の長手方向に垂直な断面形状が略長方形である。前述した様に、本発明では、透明部材５によって光ファイバ心線３の外径を大きくする必要があるため、小型サイズのインドアケーブルなどに適用する際には、テンションメンバ７を小型化する必要がある。一方、テンションメンバ７の断面積が小さくなると、より大きな強度の材質を選択する必要がある。
【００５６】
本実施形態では、テンションメンバ７の断面形状を略長方形として、その短辺側が上下方向に向くように配置する。すなわち、テンションメンバ７の長辺側で光ファイバ心線３を挟み込むように配置する。このようにすることで、光ファイバ心線３の両側に配置されるテンションメンバ７の幅方向（テンションメンバの併設方向）の占める寸法を小さく抑えることができる。また、十分な断面積を確保することができる。
【００５７】
なお、この場合、テンションメンバ７の材質としては、長方形の線材であるＪＩＳ  Ｇ３５０２  ピアノ線  または、ＪＩＳ  Ｇ３５０６  硬鋼線材などを用いることができる。
【００５８】
第４の実施の形態によれば、第１の実施の形態と同様の効果を得ることができる。また、小型のインドアケーブルにおいても、テンションメンバ７を配置して、断面二次モーメントを高めることができ、管路に直接押し込みながら通線しやすくなる。
【００５９】
次に、第５の実施の形態について説明する。図６（ａ）は、光ファイバケーブル１ｄを示す図である。光ファイバケーブル１ｄは、光ファイバケーブル１とほぼ同様の構成であるが、透明部材５の断面形状が異なる。
【００６０】
光ファイバケーブル１ｄの透明部材５は、長手方向に垂直な断面形状が円形ではなく略矩形となる。すなわち、断面において、透明部材５の外周面の少なくとも一部に平坦部２３が形成される（矩形の場合には、４面のそれぞれが平坦部２３となる）。
【００６１】
このように、透明部材５の外周面に平坦部２３が形成されることで、室内の壁面等に接着する場合、平坦部２３を接着面として利用することができる。したがって、断面円形の場合と比較して、透明部材５を容易に壁面等に接着することができる。
【００６２】
なお、透明部材５の断面形状は、図示したような略正方形でなくてもよく、長方形や台形などであってもよい。また、平坦部２３を形成可能であれば、図６（ｂ）に示すような、光ファイバケーブル１ｅであってもよい。光ファイバケーブル１ｅの透明部材５は、円断面形状の一部が切り取られた形状であり、一部に平坦部２３が形成される。このように、本実施形態では、透明部材５の断面形状が、略矩形または略円形のいずれにおいても、少なくともその一部に平坦部２３が形成されればよい。
【００６３】
第５の実施の形態によれば、第１の実施の形態と同様の効果を得ることができる。また、透明部材５（光ファイバ心線３）を壁等に接着するのが容易である。なお、図６（ａ）、図６（ｂ）に示したような、平坦部２３を有する透明部材５を、図３〜図５に示した光ファイバケーブル１ａ、１ｂ、１ｃに適用してもよい。
【００６４】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００６５】
１、１ａ、１ｂ、１ｃ………光ファイバケーブル
３………光ファイバ心線
５………透明部材
７………テンションメンバ
９、９ａ………ノッチ
１１、１１ａ………外被
１３………光コンセント
１５………光回線終端装置
１７………光利用機器
１９………光キャビネット
２０………光ファイバケーブル敷設方法
２１………支持線
２３………平坦部
【図１】
0006581767.tif 000002
【図２】
0006581767.tif 000003
【図３】
0006581767.tif 000004
【図４】
0006581767.tif 000005
【図５】
0006581767.tif 000006
【図６】
0006581767.tif 000007